(57)【要約】【課題】ヒートポンプ装置の電装箱を支持する支持台の雨水による隙間腐食を防止する。【解決手段】冷媒を圧縮する圧縮機２と、低温低圧の冷媒と空気とを熱交換する空気熱交換器５と、空気熱交換器５へ空気を送風する送風ファン９と、送風ファン９を駆動するファンモータ１８と、制御基板２１を収容する電装箱２０と、ファンモータ１８と電装箱２０の一端を支持する支持台１９と、これらを収容する外装体７と、この外装体７を圧縮機２を収容した機械室１７と空気熱交換器５および送風ファン９を収容した送風室１６とに仕切る仕切板１５とを備え、仕切板１５上部に電装箱２０を支える支持部３４を設けると共に、電装箱２０の底部に支持台１９との接触面積を小さくする支持脚３３を設け、電装箱２０を支持台１９と仕切板１５の支持部３４とに載架した。【選択図】図８
2010038514.tif 000002
【特許請求の範囲】
【請求項１】
冷媒を圧縮する圧縮機と、低温低圧の冷媒と空気とを熱交換する空気熱交換器と、前記空気熱交換器へ空気を送風する送風ファンと、前記送風ファンを駆動するファンモータと、制御基板を収容する電装箱と、前記ファンモータと前記電装箱の一端を支持する支持台と、これらを収容する外装体と、この外装体を前記圧縮機を収容した機械室と前記空気熱交換器および前記送風ファンを収容した送風室とに仕切る仕切板とを備え、前記仕切板上部に前記電装箱を支える支持部を設けると共に、前記電装箱の底部に前記支持台との接触面積を小さくする支持脚を設け、前記電装箱を前記支持台と前記仕切板の前記支持部とに載架したことを特徴とするヒートポンプ装置。
【請求項２】
前記仕切板の前記支持部にはネジ止め固定用の係止片を設けると共に、前記電装箱の対応する位置にネジ止め固定用のフランジ片を設け、このフランジ片の外周にネジの脱落防止のための囲壁を設け、前記フランジ片と前記係止片をネジ止めして前記電装箱を固定するようにしたことを特徴とする請求項１記載のヒートポンプ装置。
【請求項３】
前記仕切板の前記支持部と前記電装箱との接触面にパッキン部材を配設したことを特徴とする請求項２記載のヒートポンプ装置。
【発明の詳細な説明】
【技術分野】
【０００１】
本発明は、空気を熱源としたヒートポンプ回路を有するヒートポンプ装置に関するものである。
【背景技術】
【０００２】
従来より、この種のヒートポンプ装置においては、冷媒を圧縮する圧縮機と、高温高圧の冷媒と水とを熱交換する水冷媒熱交換器と、低温低圧の冷媒と空気とを熱交換する空気熱交換器と、空気熱交換器へ空気を送風する送風ファンと、を収容した外装体と、この外装体の内部を圧縮機と水冷媒熱交換器を収容する機械室と、空気熱交換器と送風ファンを収容する送風室とに区画する仕切板を設け、制御基板を収容する電装箱を送風室の上部に配置したものがあった。
【０００３】
【特許文献１】特開２００６−９０６５８号公報
【発明の開示】
【発明が解決しようとする課題】
【０００４】
ここで、電装箱は、送風ファンを駆動するファンモータを支持する支持台に載置されているが、電装箱と支持台との接触面の隙間に雨水や結露水が浸入して隙間腐食が発生してしまうことがあった。
【０００５】
さらに、電装箱を固定するためにネジ止めを行うが、このネジが外れて転がり落ちてしまうと、簡単に拾い上げることができないと共に、電源ショートや騒音の原因となってしまう恐れがあった。
【課題を解決するための手段】
【０００６】
そこで、本発明は上記課題を解決するため、冷媒を圧縮する圧縮機と、低温低圧の冷媒と空気とを熱交換する空気熱交換器と、前記空気熱交換器へ空気を送風する送風ファンと、前記送風ファンを駆動するファンモータと、制御基板を収容する電装箱と、前記ファンモータと前記電装箱の一端を支持する支持台と、これらを収容する外装体と、この外装体を前記圧縮機を収容した機械室と前記空気熱交換器および前記送風ファンを収容した送風室とに仕切る仕切板とを備え、前記仕切板上部に前記電装箱を支える支持部を設けると共に、前記電装箱の底部に前記支持台との接触面積を小さくする支持脚を設け、前記電装箱を前記支持台と前記仕切板の前記支持部とに載架した。
【０００７】
また、前記仕切板の前記支持部にはネジ止め固定用の係止片を設けると共に、前記電装箱の対応する位置にネジ止め固定用のフランジ片を設け、このフランジ片の外周にネジの脱落防止のための囲壁を設け、前記フランジ片と前記係止片をネジ止めして前記電装箱を固定するようにした。
【０００８】
また、前記仕切板の前記支持部と前記電装箱との接触面にパッキン部材を配設した。
【発明の効果】
【０００９】
これにより、電装箱底部と支持台との間に十分な間隔の隙間を空けることができ、支持台に隙間腐食の発生を防止できたと共に、電装箱底部と支持台との接触面積が減少したことによって振動騒音も軽減することができた。
【００１０】
また、囲壁を設けたので、製造組立時やメンテナンス時のネジの落下を防止でき、電源のショートや騒音の発生原因を未然に回避でき、機具安全性および機具運転性能の低下を防止できる。
【００１１】
また、電装箱と仕切板の支持部とが接触する面にパッキン部材を挟み込むよう配設したので、ネジ止めと相俟ってパッキン性能を一様に確保することができ、送風室から機械室に雨水や結露水が浸入することを確実に防止できる。
【発明を実施するための最良の形態】
【００１２】
次に、本発明の一実施形態を図面に基づいて説明する。
１は水を加熱するヒートポンプユニット１で、冷媒を圧縮する圧縮機２と、高温高圧の冷媒と水とを熱交換する水冷媒熱交換器３と、熱交換後の冷媒を減圧する減圧手段４と、低温低圧の冷媒と空気とを熱交換する空気熱交換器５とが順次環状に接続したヒートポンプ回路６が外装体７内に収容されて構成されている。
【００１３】
８は前記水冷媒熱交換器３へ被加熱水を供給するための水供給ポンプ、９は前記空気熱交換器５へ加熱源となる空気を送風するための送風ファンである。
【００１４】
前記外装体７は、底板１０と側板１１と天板１２とから構成され、側板１１の前面には前記送風ファン９に対向する位置が開口されベルマウス１３とファンガード１４が取り付けられ、側板１１の側面および背面の空気熱交換器５に対向する位置は空気が流通するように開放されているものである。
【００１５】
１５は外装体７内を長手方向の左右に仕切る仕切板で、一方に空気熱交換器５と送風ファン１７とが配置されて送風室１６を区画し、他方に圧縮機２と水冷媒熱交換器３と減圧手段４と水供給ポンプ８が配置されて機械室１７が区画されている。
【００１６】
１８は送風ファン９を駆動するファンモータで、空気熱交換器５の上端と側板１１の前面側上端と底板１０とで支持された支持台１９によって固定されている。ここで、支持台１９は送風ファン９の通風を妨げないように、多数の開口が設けられている。
【００１７】
２０はこのヒートポンプユニット１を制御する制御基板２１を収容した耐燃性樹脂成形の電装箱で、前記送風室１６内に配置され、前記仕切板１５の上端と前記支持台１９の上部に載架固定されている。
【００１８】
そして、この電装箱２０は、送風室１６側が浅く、機械室１７側が深い形状を有し、浅い部分の底部には、インバータのパワーモジュールを冷却するための放熱フィン２２を送風室１６に露出させるための穴部２３が設けられ、深い部分の背面の空気熱交換器５側の周壁は、下方に向かうに従い底面積が縮小するよう傾斜した形状（背面側の下角部を面取りした形状）の傾斜部２４が設けられている。
【００１９】
また、制御基板２１は、実装部品面が下方側、ハンダ面が上方側に位置するように電装箱フタ２５に固定されており、この電装箱フタ２５を電装箱２０に取り付けると、制御基板２１に設けられた前記放熱フィン２２が前記穴部２３を介して送風室１６に露出し、電装箱２０の深い部分の前面側に背の高いインバータの電解コンデンサ２６が位置しているものである。
【００２０】
電装箱２０の深い部分の内底部には金属板を絞り成形した容器状の受け皿２７が配置され、電解コンデンサ２６等の実装部品が万一脱落した際に板金部品で受ける構成としている。ここで、２８は電装箱２０の内底部に設けた突起部で、受け皿２７と電装箱２０内底部との間に断熱空間２９を形成しているものである。
【００２１】
３０は電装箱フタ２５の上面外周の四隅に設けられた嵌合片で、長手方向と短手方向の双方に連続して電装箱フタ２５の上面よりも上方に垂直に突出した形状を有し、制御基板２１が固定された電装箱フタ２５を天地反転して電装箱２０に載置した際に、電装箱２０の上端四隅の外周と嵌合されて、電装箱フタ２５が前後左右に移動することを規制しているものである。
【００２２】
また、電装箱２０には上端の機械室１７側にネジ止め固定用の穴部を有したフランジ片３１が設けられ、このフランジ片３１の外周には固定用ネジの転落防止のための囲壁３２が設けられている。そして、電装箱２０の底部の前記支持台１９に載置される位置には、支持台１９との接触面積を減らすための支持脚３３が複数本形成されている。
【００２３】
また、前記仕切板１５の上部には電装箱２０を支持するための支持部３４が凹状に切り欠いて形成され、電装箱２０の端部を機械室１７側に露出させるように支持しているもので、この支持部３４には、前記電装箱２０のフランジ片３１に対応する位置にネジ止め用のネジ穴を有した係合片３５が仕切板１５の一部を突出させて送風室１６側へ折り曲げる形状で設けられている。そして、支持部３４の全周には発泡ポリウレタンフォームからなるパッキン部材３６が設けられている。
【００２４】
なお、前記電装箱２０の底部の支持台１９の機械室１７側および仕切板１５の送風室１６側には、電装箱２０が所定の位置に嵌るように位置規制ガイド棒３７が設けられ、電装箱２０の組み付け作業性をより容易かつ確実に行えるようにしているものである。
【００２５】
そして、電装箱２０に制御基板２１を組み付ける際について説明すると、電装箱フタ２５に制御基板２１をハンダ面がフタ側、実装基板面が電装箱２０側になる方向でネジで固定し、実装部品面が上方を向くように電装箱フタ２５を天地反転して電装箱２０の上端に載置する。このとき、図７に示すように、嵌合片３０が電装箱２０の上端外周に嵌合することで、電装箱フタ２５が所定の位置に確実に固定されて前後左右に移動することが規制される。なお、このとき、嵌合片３０が電装箱２０の最外周に位置するため、目視確認しながら電装箱フタ２５を嵌合片３０が電装箱２０の上端に勘合するように載置することができ、作業性がよいものである。
【００２６】
そして、送風室１６や機械室１７から引き回されているリード線（図示せず）を制御基板２１のコネクタに差し込んで組み付ける。このとき、電装箱フタ２５が所定の位置に確実に固定されているため、組み付け位置が一定となるためリード線の長さを最適な長さ状態で組み付けることができ、リード線の結束作業性も向上する。
【００２７】
コネクタを接続してリード線を結束した後は、電装箱フタ２５の天地を元に戻して電装箱２０へ制御基板２１を収容する。このとき、リード線の長さや結束状態が一定しているため、作業性が非常に向上するものである。
【００２８】
そして、電装箱２０のフランジ片３１と仕切板１５の支持部３３に設けられている係合片３４をそれぞれのネジ穴を合わせてネジ止め固定する。このとき、フランジ片３１には囲壁３２が設けられているため、ドライバーからネジが外れてしまったような際にも、ネジがフランジ片３１から転落することがない。よって、製造組立時やメンテナンス時のネジの落下を防止でき、電源のショートや騒音の発生原因を未然に回避でき、機具安全性および機具運転性能の低下を防止できる。
【００２９】
そして、ネジ止めによって電装箱２０が所定の位置に固定されると、仕切板１５の支持部３４の上端と電装箱２０の底部との間隔が一様に固定される。これにより、パッキン部材３６を一様な挟み込み状態にできてパッキン性能を一様に確保することができ、送風室１６から機械室１７に雨水や結露水が浸入することを確実に防止できる。
【００３０】
ここで、電装箱２０は底部の支持脚３４を介して支持台１９に載置されるため、電装箱２０底部と支持台１９との間に十分な間隔の隙間を空けることができ、支持台１９に隙間腐食の発生を防止できたと共に、電装箱２０底部と支持台１９との接触面積が減少したことによって作動時の振動騒音も軽減することができた。
【００３１】
次に、このヒートポンプ装置の作動を説明すると、加熱要求があると水供給ポンプ８を駆動して貯湯タンク（図示せず）から水を水冷媒熱交換器３へ供給すると同時に、圧縮機２と送風ファン９を駆動してヒートポンプ回路６を起動する。
【００３２】
圧縮機２によって高圧にされた冷媒は水冷媒熱交換器３で二次側の水を加熱する。放熱した冷媒は減圧手段４で減圧膨張され低温低圧状態となって空気熱交換器５へ流入し、送風ファン９によって送風される空気で加熱されて圧縮機２へ吸入される。そして、圧縮機２で圧縮されて高温高圧な冷媒が水冷媒熱交換器３へ流入するヒートポンプサイクルを形成する。
【００３３】
このとき、電装箱２０の背面側の下角部に傾斜部２４が設けられているため、空気熱交換器５の背面上部付近の空気の通風抵抗が減少し、空気熱交換器５の全面に渡り良好に空気が通過するため、送風ファン９駆動の消費電力を抑制できると共に、効率よく熱交換することができ、入力した電力に対する水を加熱した熱量の割合を示す成績係数ＣＯＰを向上することができた。
【００３４】
また、電装箱２０のほとんどの部分を送風室１６内に配置しても通風抵抗を低下させないので、機械室１７の容積を大きくすることができ、圧縮機２や水冷媒熱交換器３といった大きな機能部品を備えたヒートポンプ装置においても全体の外形を小型化できるものである。
【００３５】
また、空気熱交換器５を冷媒が複数に分流して流通する構成とした場合でも、空気熱交換器５の全面に渡り良好に空気が通過するため、従来の如く上部に分流した冷媒経路だけが通風抵抗が大きいために蒸発不良を起こし、圧縮機２に冷媒が液バックしてしまう不良も改善できた。
【００３６】
次に、万が一制御基板２１がトラッキングして発火したり、もらい火によって発火した場合は、電解コンデンサ２６等の実装部品が制御基板２１から脱落しても、電装箱２０の内底部の金属製の受け皿２７に落下するため、電装箱２０の更なる延焼、焼損を防止でき、高温になっている部品が電装箱２０より下方へ落下することがなく、電装箱２０より下方にある他の機能部品に損傷を与えることがなくなり、ヒートポンプ装置の延焼を防止することができる。
【００３７】
しかも、受け皿２７が周壁を有した容器状になっているため、受け皿２７に落下した電解コンデンサ２６等の実装部品が例え転がって移動しても、電装箱２０の内部に直接接触することがなく、電装箱２０の焼損を確実に防止できる。
【００３８】
また、電装箱２０の内底部の突起部２８を介して受け皿２７を浮かせた形で設けているため、電装箱２０の内底部と受け皿２７との間に断熱空間２９が形成され、電解コンデンサ２６等の実装部品が高温となって落下しても、電装箱２０の内底部が受け皿２７を介した伝熱によって簡単に溶解してしまうことがないものであると共に、断熱材を用いずとも簡易かつ安価に断熱することができる。なお、突起部２８は電装箱２０の内底部に一体に成形されている構成としているが、これに限らず、別部品として設けたり、受け皿２７に下方へ向けてダボ加工して突起部２８を設けるようにしてもよいものである。
【００３９】
なお、電装箱２０は耐燃性樹脂の成形品であるため、電装箱２０の隅部には隙間が生じず電装箱２０内に水が浸入する可能性がないため、電装箱２０を風雨に当たる送風室１６側に配置することができる。そして、この電装箱２０の内底部に金属製の受け皿２７を配置固定するだけで上記の如く焼損防止することができるため、焼損対策と防水対策を実施するに当たり、従来品と比べて簡易かつ安価である。なお、耐燃性樹脂とは、自己消火性あるいは難燃性を有した樹脂を示すものである。
【００４０】
また、この一実施形態では、前記電装箱フタ２５の嵌合片３０は四隅に設けているが、これに限られず、電装箱フタ２５の上面外周の四辺にそれぞれ単数または複数の嵌合片３０を設けるようにしてもよいものである。
【図面の簡単な説明】
【００４１】
【図１】本発明の一実施形態のヒートポンプ回路の説明図。
【図２】同一実施形態の送風室での要部断面図。
【図３】同一実施形態の天板を外した状態での上面図。
【図４】同一実施形態の電装箱の背面側下方からの斜視図。
【図５】同一実施形態の電装箱の分解斜視図。
【図６】同一実施形態の電装箱の組み付け作業を説明するための図。
【図７】同一実施形態の電装箱の要部断面図。
【図８】同一実施形態の電装箱の載架状態を示す図。
【図９】同一実施形態の電装箱を外した状態での要部斜視図。
【図１０】同一実施形態の電装箱を載せた状態での要部斜視図。
【図１１】同一実施形態の電装箱を載せた状態での要部拡大斜視図。
【符号の説明】
【００４２】
２  圧縮機
５  空気熱交換器
７  外装体
９  送風ファン
１５  仕切板
１６  送風室
１７  機械室
１８  ファンモータ
１９  支持台
２０  電装箱
２１  制御基板
３１  フランジ片
３２  囲壁
３３  支持脚
３４  支持部
３５  係合片
３６  パッキン部材
【図１】
2010038514.tif 000003
【図２】
2010038514.tif 000004
【図３】
2010038514.tif 000005
【図４】
2010038514.tif 000006
【図５】
2010038514.tif 000007
【図６】
2010038514.tif 000008
【図７】
2010038514.tif 000009
【図８】
2010038514.tif 000010
【図９】
2010038514.tif 000011
【図１０】
2010038514.tif 000012
【図１１】
2010038514.tif 000013